(57)【特許請求の範囲】
【請求項１】
走行輪及び後方に傾倒自在な背もたれを有し、座席の上面横方向に平行ガイドレールが設けられ、さらに該平行ガイドレールの端部に水平連結自在の延長ガイドレールが垂下させられた車椅子本体と、全長が就寝可能な長さに構成され、略三等分されて一端部が起立自在、他端部が垂下自在、中間部が水平維持自在であり、さらに前記中間部の下面に、前記車椅子本体の前記平行ガイドレール及び延長ガイドレールに適合して走行するキャスターが設けられた移動座席と、前記背もたれを後方へ傾倒させた時に該背もたれを水平に保持する支持杆と、前記背もたれの後方への傾倒動作に連動して前記走行輪を制動するブレーキ装置と、を備えることを特徴とする介護用車椅子装置。
【発明の詳細な説明】
【０００１】
【発明の属する技術分野】
本発明は、寝たきり、あるいは下半身が不自由であるために介護を必要とする人（以下「被介護人」と言う。）をベッドから車椅子に、車椅子からベッドあるいは車等に移動させることが容易な介護用車椅子装置に関する。
【０００２】
【従来の技術】
従来、前記被介護人の移動には、一般に車椅子が使用されている。そして介護人が被介護人をベッドから車椅子に、車椅子からベッドあるいは車等に移動させる場合には、被介護人を抱き抱えて行っている。
【０００３】
【発明が解決しようとする課題】
しかしながら、前記被介護人を抱き抱えて前記ベッドから車椅子に乗せる場合には、介護人に多大な労力を強いるものであった。本発明は前記事情に鑑み為されたもので、介護人の労力の軽減を図ることを目的とする。
【０００４】
【課題を解決するための手段】
前記課題を解決するため、本発明に係る介護用車椅子装置は、走行輪及び後方に傾倒自在な背もたれを有し、座席の上面横方向に平行ガイドレールが設けられ、さらに該平行ガイドレールの端部に水平連結自在の延長ガイドレールが垂下させられた車椅子本体と、全長が就寝可能な長さに構成され、略三等分されて一端部が起立自在、他端部が垂下自在、中間部が水平維持自在であり、さらに前記中間部の下面に、前記車椅子本体の前記平行ガイドレール及び延長ガイドレールに適合して走行するキャスターが設けられた移動座席と、前記背もたれを後方へ傾倒させた時に該背もたれを水平に保持する支持杆と、前記背もたれの後方への傾倒動作に連動して前記走行輪を制動するブレーキ装置と、を備えることを特徴とする。
【０００５】
本発明によれば、前記被介護人をベッドから車椅子、車椅子からベッドあるいは車等に容易に移動させることができる。すなわち、被介護人をベッドから本発明の車椅子本体上に移動させる場合の一例を述べると、まず、ベッド上の被介護人をベッドの脇に一時横臥させる。これと並行して、被介護人を横たわった状態のままで車椅子本体上に移動させるために、前記背もたれを後方へと傾倒させる。前記背もたれの後方への傾倒動作に連動して、前記ブレーキ装置によって前記走行輪が制動される。
【０００６】
つぎに、前記車椅子本体の平行ガイドレールの端部に設けられた延長ガイドレールを水平にし、さらに前記車椅子本体を移動させて被介護人の就寝位置に前記延長ガイドレールを配置する。
【０００７】
同時に、前記移動座席の前記中間部の下面のキャスターを前記延長ガイドレールに適合させ、該移動座席全体を水平状態にしてその上面に被介護人を復帰就寝させる。その後、前記移動座席を前記延長ガイドレールから前記車椅子本体の平行ガイドレール上にスライドさせればよい。
【０００８】
本発明によれば、前記背もたれは、これを後方へと傾倒させたときに前記支持杆によって水平に保持されるので、移ってくる被介護人の荷重がしっかりと支えられる。よって、車椅子本体の転倒のおそれがなく安全であり、同時に介護人の労力も軽減される。また、前記背もたれの後方への傾倒動作に連動して、前記ブレーキ装置によって前記走行輪が制動されるので、被介護人の移し変えの最中に車椅子本体が思いがけずに移動してしまうことが防止される。よって、被介護人の移し変えを常に安全に行うことができる。
【００１１】
なお、前記車椅子としての走行使用時には、前記車椅子本体の背もたれ及び移動座席の起立自在の一端部はそれぞれ起立させられる。
【００１４】
【発明の実施の形態】
以下、本発明の実施の一形態を図面に基づいて説明する。図１は、本発明に係る介護用車椅子装置の分解斜視図、図２は、使用状態を示す斜視図、図３は、他の使用状態を示す斜視図、図４は、背もたれの後方傾倒部の一部切り欠き側面図である。
【００１５】
車椅子本体１は、図１に示すごとく、一般の車椅子と同様に、前脚２、後脚３、座席４及び背もたれ５を有し、さらに前記前脚２及び後脚３の下端にはそれぞれ走行輪６が設けられて構成される。
【００１６】
なお、図面実施の一形態では、前記背もたれ５が後方に傾倒自在に構成されている。すなわち、、図４に示すごとく、前記座席４の後端部に、背もたれ５を形成する両側支柱７の下端がそれぞれ軸８にて取り付けられる。
【００１７】
つぎに、前記両側支柱７の下端に延長部７ａを設け、該延長部７ａに係止ピン９が挿通する孔１０を設け、他方前記後脚３の適位置に前記両側支柱７の起立時に前記孔１０と適合する適合孔１１を有するブラケット１２を設け、さらに前記座席４側の適位置に前記背もたれ５、すなわち、両側支柱７の後方への傾倒時に前記孔１０と適合する適合孔１３を設け、前記孔１０と前記適合孔１１あるいは適合孔１３に対する前記係止ピン９の差し換えにより前記両側支柱７を含む背もたれ５が傾倒自在に構成されている。
【００１８】
つぎに、前記座席４の上面横方向に平行ガイドレール１４、１４が設けられ、さらに、該平行ガイドレール１４、１４の端部に水平連結自在の延長ガイドレール１５、１５が垂下させられて、車椅子本体１が構成される。なお、図１実施例では、前記延長ガイドレール１５、１５が前記平行ガイドレール１４、１４の両端に垂下させられているが、図２及び図３実施例のごとく、前記平行ガイドレール１４、１４の片側のみでもよい。
【００１９】
さらに図面に示す実施の一形態では、前記背もたれ５の背面部に、該背もたれ５を後方へ傾倒させた時、該背もたれ５を水平に保持する支持杆４０が設けられている。
【００２０】
前記支持杆４０は、前記背もたれ５の上部に軸４１にて取り付けられ、さらに前記背もたれ５を取り付けた前記軸８に一端を取り付けたストッパー杆４２により垂直状態が維持されるように構成されている。すなわち、前記ストッパー杆４２の先端にフック４３が形成され、該フック４３が前記支持杆４０の適位置に設けた係止ピン４４に係止自在に構成されている。図中、６ａは前記支持杆４０の下端に設けられた走行輪である。
【００２１】
さらに図面実施の一形態では、前記車椅子本体１の座席４及び背もたれ５部が昇降自在に構成される。該座席４及び背もたれ５の昇降自在構成は、前記前脚２及び後脚３を伸縮自在に構成することにより行われる。
【００２２】
すなわち、前記前脚２及び後脚３がそれぞれ上下二分割され、下部前脚２ｂ及び下部後脚３ｂに形成した細径部１６を上部前脚２ａ及び上部後脚３ａに挿入して伸縮自在に構成している。
【００２３】
さらに図面実施の一形態では、前記座席４及び背もたれ５の昇降自在構成をジャッキ１７を使用して行っている。すなわち、前記下部前脚２ｂ及び下部後脚３ｂ間に補強杆１８を設け、該補強杆１８上に前記ジャッキ１７を支持し、該ジャッキ１７を構成するパンタグラフの上端を前記平行ガイドレール１４、１４を支持する座席４の下面、具体的には前記上部前脚２ａ及び上部後脚３ａの連結部に枢支してなる。図中、２２は前記ジャッキ１７の操作ハンドル、１９はそれぞれ補強杆である。
【００２４】
本発明では、前記車椅子本体１とともに、さらに、全長が就寝可能の長さに構成され、略三等分されて一端部が起立自在、他端部が垂下自在、中間部が水平維持自在であり、さらに前記中間部の下面に前記前記車椅子本体１の前記平行ガイドレール１４、１４及び延長ガイドレール１５、１５に適合するキャスター２０を有する移動座席２１が準備される。
【００２５】
図面にしたがって説明すると、前記移動座席２１は、全長が被介護人の就寝可能な長さ、具体的にはベッドＢ上に配置できる長さに構成され、略三等分されて、その一端部２３が起立自在、他端部２４が垂下自在、中間部２５が水平維持自在に構成される。
【００２６】
すなわち、前記一端部２３と前記中間部２５間及び前記他端部２４と前記中間部２５間がヒンジ２６及び２７で連結され、さらにそれぞれの上面には、適宜クッション材が張設される。
【００２７】
そして、前記中間部２５の下面に前記車椅子本体１の前記平行ガイドレール１４、１４及び延長ガイドレール１５、１５に適合して走行する前記キャスター２０が設けられる。
【００２８】
図面実施の一形態では、さらに、前記中間部２５の中央部に、開閉自在孔４５が設けられている。該開閉自在孔４５は、被介護人がトイレに行く場合に使用される。図中、４６は前記開閉自在孔４５の蓋体、４７は足載せ板であり、前記移動座席２１の他端部２４の上面に折り畳み自在に構成されている。
【００２９】
さらに、図中、２９はブレーキ装置の一例であり、前記車椅子本体１の背もたれ５を後方に傾倒した時に、自動的に前記走行輪６にブレーキが掛かるように構成されている。
【００３０】
すなわち、ボーデンワイヤ３０のアウターチューブ３１が前記後脚３側にブラケット３２、３３によって保持され、インナーワイヤ３４の一端前記背もたれ５に設けられたブラケット３５に連結され、他端が中間部を軸３６で前記後脚３に取り付けたブレーキレバー３７の後端に連結されている。なお、該ブレーキレバー３７の先端は前記走行輪６に当接する位置となっている。
【００３１】
そして、さらに前記インナーワイヤ３４の前記ブラケット３３と前記ブレーキレバー３７の後端間に弾発コイルスプリング３８が巻装されている。
【００３２】
前記構成において、背もたれ５の起立時には、該背もたれ５によって前記ボーデンワイヤ３０のインナワイヤ３４が引っ張られ、前記弾発コイルスプリング３８が縮小されて、前記ブレーキレバー３７の先端が前記走行輪６から離されている。
【００３３】
つぎに、前記背もたれ５を後方に傾倒すると、前記インナワイヤ３４が緩められ、前記弾発コイルスプリング３８が前記ブレーキレバー３７の後端を押圧し、該ブレーキレバー３７の先端が前記走行輪６に押圧されてブレーキが掛かるものである。
【００３４】
もっとも、車椅子本体１には、図示しないが、背もたれ５を起立させた状態で、自然走行を防止するブレーキが別に設けることは従来一般の車椅子と同様である。
【００３５】
図２には、本発明の使用状態の一例が示されている。すなわち、ベッドＢから被介護人Ｈを本発明の車椅子装置に移動させる場合の一例が示されている。まず、前記ベッドＢ上に就寝している被介護人Ｈが前記ベッドＢの脇に一時横臥させられる。つぎに好ましくは、前記車椅子本体１の背もたれ５が後方に傾倒させられ、支持杆４０によって水平に保持される。
【００３６】
つぎに前記延長ガイドレール１５、１５を水平にして被介護人Ｈの就寝位置に配置し、同時に前記移動座席２１の前記中間部２５の下面のキャスター２０を前記延長ガイドレール１５、１５に適合させ、さらに移動座席２１を水平状態にし、被介護人Ｈの横臥を解除して、前記移動座席２１の上面に被介護人Ｈを就寝させる。
【００３７】
その後、前記移動座席２１を前記延長ガイドレール１５、１５から前記車椅子本体１の平行ガイドレール１４、１４上にスライドさせれば、車椅子本体１への被介護人Ｈの移動が完了する。さらにその後、前記車椅子本体１の背もたれ５を起立させれば、前記移動座席２０の一端部２３も同時に起立させられる。
【００３８】
なお、車椅子本体１の背もたれ５を起立させたままでも被介護人Ｈを本発明の車椅子装置に移動させることができる。その場合には、前記延長ガイドレール１５、１５上において前記移動座席２１の一端部２３を起立させて車椅子本体１の平行ガイドレール１４、１４上にスライドさせればよい。
【００３９】
図３には、被介護人Ｈを、車椅子本体１から車Ｃに移動させる場合の一例が示されている。この場合は前記ベッドＢから車椅子本体１への移動と反対に移動させる場合、すなわち、車椅子本体１からベッドＢに移動させる場合とほぼ同様であるが、必要に応じて前記延長ガイドレール１５、１５に、さらに再延長レール４８、４８を連結して移動幅の拡大が図られる。
【００４０】
さらに、図示しないが、車椅子本体１へ被介護人Ｈの移動完了時に、例えば、前記車椅子本体１の座席４、あるいは移動座席２１の中間部２５の両側に着脱自在の手すりを起立させたり、さらに該手すりの前部間に安全手すりを掛け渡したり、シートベルトを設ける等して被介護人Ｈの安全保持措置が講じられる。
【００４１】
【発明の効果】
本発明によれば、被介護人をベッドから車椅子に、車椅子からベッドあるいは車に容易に移動させることができ、介護人の労力の軽減を図ることができる。
【図面の簡単な説明】
【図１】本発明に係る介護用車椅子装置の分解斜視図である。
【図２】使用状態を示す斜視図である。
【図３】他の使用状態を示す斜視図である。
【図４】背もたれの後方傾倒部の一部切り欠き側面図である。
【符号の説明】
１    車椅子本体
４    座席
５    背もたれ
６    走行輪
７    両側支柱
１４  平行ガイドレール
１５  延長ガイドレール
２０  キャスター
２１  移動座席
２２  （移動座席の）一端部
２３  （移動座席の）他端部
２４  （移動座席の）中間部
【図１】
0004552041.tif 000002
【図２】
0004552041.tif 000003
【図３】
0004552041.tif 000004
【図４】
0004552041.tif 000005